(57)【要約】  【課題】有孔スクリーンを取り付けるための下地材の主要部が外から見えないようにして外観的に見栄えのする内外装用有孔スクリーン構造体を提供する。  【解決手段】一方側化粧板１２，１２を支持材６の一方の面側に配置し、他方側化粧板１４を支持材６を挟んでその他方の面側に配置する。一方側化粧板１２の第１の側面部１２ｂに他方側化粧板１４の第１の側面部１４ｂを合接し、一方側化粧板１２の第２の側面部１２ｃに他方側化粧板１４の第２の側面部１４ｃを合接する。この合接した状態で一方側化粧板１２と他方側化粧板１４とを取付材８，１０に固定し、支持材６と取付材８，１０とを一方側化粧板１２と他方側化粧板１４との対面空間部内に配置する。【選択図】  図１
2010203124.tif 000002
【特許請求の範囲】
【請求項１】
柱４に直角に固定された帯板状の支持材６と、該支持材６に該支持材６の長手方向に所定の間隔を存して固設された複数個の取付材８，１０とで下地材を構成し、該下地材に有孔スクリーン２を取り付けるようにした内外装用有孔スクリーン構造体であって、前記有孔スクリーン２を、平板部１２ａが形成された一方側化粧板１２と、これに対面配置される平板部１４ａが形成された他方側化粧板１４とで構成し、前記一方側化粧板１２の前記平板部１２ａの一側部に該平板部１２ａの裏面側に突出する第１の側面部１２を形成し、前記一方側化粧板１２の前記平板部１２ａの他側部に該平板部１２ａの裏面側に突出する第２の側面部１２ｃを形成し、前記他方側化粧板１４の平板部１４ａの一側部に該平板部１４ａの裏面側に突出する第１の側面部１４ｂを形成し、前記他方側化粧板１４の平板部１４ａの他側部に該平板部１２ａの裏面側に突出する第２の側面部１４ｃを形成し、前記一方側化粧板１２，１２を前記支持材６の一方の面側に配置し、前記他方側化粧板１４を前記支持材６を挟んでその他方の面側に配置し、前記一方側化粧板１２の第１の側面部１２ｂに前記他方側化粧板１４の第１の側面部１４ｂを合接し、前記一方側化粧板１２の第２の側面部１２ｃに前記他方側化粧板１４の第２の側面部１４ｃを合接し、該合接した状態で前記一方側化粧板１２と前記他方側化粧板１４とを前記取付材８，１０に固定し、前記支持材６と取付材８，１０とを前記一方側化粧板１２と他方側化粧板１４との対面空間部内に配置したことを特徴とする内外装用有孔スクリーン構造体。
【請求項２】
前記一方側化粧板１２と前記他方側化粧板１４の側面部１２ｃ，１４ｃの前記支持材６と対面する部分に、該支持材６との衝突を避けるための該支持材６と略同一幅の切欠部１６を形成したことを特徴とする請求項１に記載の内外装用有孔スクリーン構造体。
【発明の詳細な説明】
【技術分野】
【０００１】
本発明は、室内用としては、壁面スクリーン、天井ルーバー、ディスプレイ用の間仕切り、棚等に用いられ、また、屋外用としては、ルーバー屋根、落下防止ネット、設備機器のための目隠しパネルなどに用いられる内外装用有孔スクリーン構造体に関する。
【背景技術】
【０００２】
金属板に多数の孔を成型した建材を用いて、風と光を通す壁面スクリーン、天井ルーバー、ディスプレイ用の間仕切り、棚等を構築することが従来知られている。また、屋内に太陽の光を採り入れることができる採光屋根の屋根材として、金属板に多数の孔を成型した建築用有孔スクリーンを用いたものが知られている（例えば特許文献１参照）。
【先行技術文献】
【特許文献】
【０００３】
【特許文献１】特開２００６−１４４３１８号公報
【発明の概要】
【発明が解決しようとする課題】
【０００４】
多数の孔を成型した金属板からなる建材を用いて、壁面スクリーンや、天井ルーバー、ディスプレイ用の間仕切り、棚等を構築する場合、一般的には、支柱に固設した下地材に建材をボルトで取り付けている。しかるにこの工法を採用した場合、外側から構築物を見たとき、下地材が見えてしまい、外観的に見苦しいという問題点があった。
本発明は上記問題点を解決することを目的とするものである。
【課題を解決するための手段】
【０００５】
上記目的を達成するため本発明は、柱４に直角に固定された帯板状の支持材６と、該支持材６に該支持材６の長手方向に所定の間隔を存して固設された複数個の取付材８，１０とで下地材を構成し、該下地材に有孔スクリーン２を取り付けるようにした内外装用有孔スクリーン構造体であって、前記有孔スクリーン２を、平板部１２ａが形成された一方側化粧板１２と、これに対面配置される平板部１４ａが形成された他方側化粧板１４とで構成し、前記一方側化粧板１２の前記平板部１２ａの一側部に該平板部１２ａの裏面側に突出する第１の側面部１２を形成し、前記一方側化粧板１２の前記平板部１２ａの他側部に該平板部１２ａの裏面側に突出する第２の側面部１２ｃを形成し、前記他方側化粧板１４の平板部１４ａの一側部に該平板部１４ａの裏面側に突出する第１の側面部１４ｂを形成し、前記他方側化粧板１４の平板部１４ａの他側部に該平板部１２ａの裏面側に突出する第２の側面部１４ｃを形成し、前記一方側化粧板１２，１２を前記支持材６の一方の面側に配置し、前記他方側化粧板１４を前記支持材６を挟んでその他方の面側に配置し、前記一方側化粧板１２の第１の側面部１２ｂに前記他方側化粧板１４の第１の側面部１４ｂを合接し、前記一方側化粧板１２の第２の側面部１２ｃに前記他方側化粧板１４の第２の側面部１４ｃを合接し、該合接した状態で前記一方側化粧板１２と前記他方側化粧板１４とを前記取付材８，１０に固定し、前記支持材６と取付材８，１０とを前記一方側化粧板１２と他方側化粧板１４との対面空間部内に配置したものである。
また本発明は、前記一方側化粧板１２と前記他方側化粧板１４の側面部１２ｃ，１４ｃの前記支持材６と対面する部分に、該支持材６との衝突を避けるための該支持材６と略同一幅の切欠部１６を形成したものである。
【発明の効果】
【０００６】
本発明は、下地材の主要部を一方側と他方側の化粧板で挟み、サンドイッチ構造としたので、下地材の主要部を化粧板の中に隠すことができ、外観的に見栄えのする商品価値の高いスクリーン構造体を提供することができる。
【図面の簡単な説明】
【０００７】
【図１】本発明の実施形態を示す外観図である。
【図２】本発明の実施形態を示す分解斜視図である。
【図３】本発明の実施形態を示す側面図である。
【図４】本発明の他の実施形態を示す分解斜視図である。
【図５】本発明の他の実施形態を示す側面図である。
【図６】本発明の他の実施形態を示す外観図である。
【発明を実施するための形態】
【０００８】
以下に本発明の構成を添付した図面を参照して詳細に説明する。
図１は、採光屋根や、内外装用目隠しパネルなどに使用される有孔スクリーン構造体を示し、有孔スクリーン２が、Ｈ型鋼などの鋼材から成る柱４に、これに対して直角方向に延びる金属製帯板状の支持材６と、これに固設された取付材８，１０を介して、支持されている。
【０００９】
有孔スクリーン２は一対の化粧板１２，１４から構成され、該化粧板１２，１４は、互いに嵌合している。前記支持材６と取付材８，１０は、互いに嵌合する化粧板１２，１４の形成する内部の空間部に外部から見えないように収納されている。一方側の化粧板は１２は、図２に示すように、平板部１２ａと、該平板部１２ａの一側部に、該平板部１２ａに対して裏面側に直角に屈折して全長に亘って形成された第１の側面部１２ｂと、前記平板部１２ａの他側部に、該平板部１２ａに対して裏面側に直角に屈折して全長に亘って形成された第２の側面部１２ｃとから構成されている。
【００１０】
他方側の化粧板１４は、平板部１４ａと、該平板部１４ａの一側部に、該平板部１４ａに対して裏面側に直角に屈折して全長に亘って形成された第１の側面部１４ｂと、前記平板部１４ａの他側部に該平板部１４ａに対して裏面側に直角に屈折して全長に亘って形成された第２の側面部１４ｃとから構成されている。前記支持材６の両端部上面間には、断面Ｌ型の鋼材から成る細長状の取付材８，１０が、前記化粧板１２，１４の横幅と略同一の間隔を存して、該支持材６の長手方向に対して直角に互いに平行に配置され、ねじ又は溶接により、前記支持材６に固定されている。
【００１１】
一方側化粧板１２の平板部１２ａの裏面は、支持材６の下面に当接配置され、第１の側面部１２ｂが取付材８の立ち上がり部に対向している。一方側化粧板１２の第２の側面部１２ｃには、前記支持材６に対して挿入自在な切欠部１６が形成され、該切欠部１６が丁度、支持材６に嵌合し、該第２の側面部１２ｃは、前記取付材１０の立ち上がり部１０ａに対面している。
【００１２】
他方側化粧板１４は、一方側化粧板１２と嵌合し、第１の側面部１４ｂが、一方側化粧板１２の第１の側面部１２ｂの外側面と合接し、該合接した状態で、一方側と他方側の第１の側面部１２ｂ，１４ｂは、ねじ１８により、取付材８の立ち上がり部８ａに固定されている。他方側化粧板１４の第２の側面部１４ｃにも、前記第２の側面部１２ｃと同様に、前記支持材６が挿入自在な切欠部（図示省略）が形成され、該切欠部が支持材６に嵌合し、該第２の側面部１４ｃは、その内側面が前記一方側化粧板１２の第２の側面部１２ｃの外側面と合接している。一方側と他方側の第２の側面部１２ｃ，１４ｃは、互いに合接した状態で、ねじ２０により、取付材１０の立ち上がり部１０ａに固定されている。
【００１３】
上記した構成において、有孔スクリーン２を支承する支持材６及び取付材８，１０から成る下地材の主要部は、有孔スクリーン２の内部に収納され、外から見えない状態となる。
第４図は、複数の有孔スクリーン２を横方向に連結した実施形態を示している。互いに側部端面が当接した状態で、隣接する一方側化粧板１２，１２の接合部に、帯状の金属板からなる裏当て板２２を配置し、その平板部２２ａを一方側化粧板２，２の平板部１２ａ，１２ａの裏面に当接し、内側に屈折する垂直屈折部２２ｂを、一方側化粧板１２，１２の合接部近傍の、第１の側面部１２ｂ，１２ｂに当接し、ねじ２４によって、一方側化粧板１２，１２と裏当て板２２とを互いに固定する。
【００１４】
互いに側部端面が横方向に当接した状態で、隣接する他方側化粧板１４，１４も同様に、その合接部の裏側に、帯状の金属板からなる裏当て板２６が配置され、その平板部２６ａが、他方側化粧板１４，１４の平板部１４ａ，１４ａの裏面に当接し、外側に屈折する垂直屈折部２６ｃ，２６ｃが対応する他方側化粧板１４，１４の第１の側面部１４ｂ，１４ｂと第２の側面部１４ｃ，１４ｃに当接し、ねじ２４によって、他方側化粧板１４，１４と、裏当て板２６とが互いに固定されている。
【００１５】
互いに接合された一方側化粧板１２，１２の切欠部１６が、支持材６に嵌合し、該嵌合状態で、一方側化粧板１２，１２は、その平板部１２ａ，１２ａが、裏当て板２２を介して、支持材６の下面にねじにより固定され、第１と第２の側面部１２ｂ，１２ｂと１２ｃ，１２ｃとが、取付材８にねじにより固定される。互いに接合された他方側化粧板１４，１４は、一方側化粧板１２，１２に嵌合配置される。
【００１６】
該嵌合状態において、他方側化粧板１４，１４の第１の側面部１４ｂ，１４ｂの内壁面は、一方側化粧板１２，１２の第１の側面部１２ｂ，１２ｂの外壁面に対接し、他方側化粧板１４，１４の第２の側面部１４ｃ，１４ｃの内壁面は、一方側化粧板１２，１２の第２の側面部１２ｃ，１２ｃの外壁面に対接する。一方側化粧板１２，１２と他方側化粧板１４，１４の互いに対接する第１と第２の側面部１２ｂ，１４ｂ，１２ｃ，１４ｃは、ねじにより、対応する取付材８，１０に固定される。図４において、他方側化粧板１４，１４の第２の側面部１４ｃ，１４ｃの合接部には、支持材６と嵌合するための切欠部（図示省略）が形成されている。
【００１７】
上記実施形態では、有孔スクリーン２を柱４に一段で取り付けているが、図５，６に示すように、上下に２段に取り付けても良く、特に一段に限定されるものではない。図５，６は有孔スクリーン２を複数段の構造とした他の実施形態を示している。図５の有孔スクリーン２は、図１に示す実施形態で用いている有孔スクリーン２を使用して複数段の構成としたものであり、図６に示す有孔スクリーン２は、、図４に示す実施形態で用いている有孔スクリーン２を使用して複数段の構成としたものである。
【００１８】
また、一方側化粧板１２と他方側化粧板１４の嵌合構造は、特に図示する構造に限定されるものではなく、種々の構成とすることが可能であり、また、一方側化粧板１２と他方側化粧板１４の形状も特に図示する形状に限定されるものではなく、種々の形状とすることが可能である。
【符号の説明】
【００１９】
２      有孔スクリーン
４      柱
６      支持材ビス
８      取付材
１０    取付材
１２    化粧板
１４    化粧板
１６    切欠部
１８    ねじ
２０    ねじ
２２    裏当て板
２４    ねじ
２６    裏当て板
【図１】
2010203124.tif 000003
【図２】
2010203124.tif 000004
【図３】
2010203124.tif 000005
【図４】
2010203124.tif 000006
【図５】
2010203124.tif 000007
【図６】
2010203124.tif 000008